(57)【要約】【課題】一方に開放する弾性材料製の有底の筒状閉塞栓(11)からなり、管体の開放端部に筒状閉塞栓(11)の周壁(12)が圧入する密嵌状態に装着される保護キャップにおいて、前記管体の開放端部への着脱が容易な保護キャップ(1)を提供すること。【解決手段】筒状閉塞栓(11)の底部(13)の一部及び周壁(12)の一部を連続して内方へ隆起させることにより、筒状閉塞栓(11)内に突出し且つ底部(13)の裏面(13a)側及び周壁(12)の少なくとも一側方に連続して開放する中空の隆起部(14)が設けられていること。【選択図】図１
2014152924.tif 000002
【特許請求の範囲】
【請求項１】
一方に開放する弾性材料製の有底の筒状閉塞栓からなり、管体の開放端部に前記筒状閉塞栓の周壁が圧入する密嵌状態に装着される保護キャップにおいて、前記筒状閉塞栓の底部の一部及び周壁の一部を連続して内方へ隆起させることにより、前記筒状閉塞栓内に突出し且つ前記底部の裏面側及び前記周壁の少なくとも一側方に連続して開放する中空の隆起部が設けられていることを特徴とする保護キャップ。
【請求項２】
請求項１に記載の保護キャップにおいて、前記隆起部の突出高さを、前記筒状閉塞栓の底部から開放端部までの高さよりも低く設定されていることを特徴とする保護キャップ。
【請求項３】
請求項１又は２に記載の保護キャップにおいて、前記筒状閉塞栓の開放端部に側方へ張り出す環状のフランジ部が設けられていることを特徴とする保護キャップ。
【請求項４】
請求項１から３のいずれかに記載の保護キャップにおいて、前記筒状閉塞栓は、開放端部に向かって拡径するテーパ状の周壁を有することを特徴とする保護キャップ。
【請求項５】
請求項１から４のいずれかに記載の保護キャップにおいて、前記隆起部は、前記筒状閉塞栓の底部の一つの直径に沿って設けられると共に、前記底部の裏面には、前記直径の両端となる前記周壁の二側方に開放する直線状の溝部が形成されていることを特徴とする保護キャップ。
【請求項６】
請求項１から４のいずれかに記載の保護キャップにおいて、前記隆起部は、前記筒状閉塞栓の底部の中心をとおる十文字状に設けられると共に、前記底部の裏面には、前記十文字の各端部となる前記周壁の四側方に開放する十文字状の溝部が形成されていることを特徴とする保護キャップ。
【請求項７】
請求項１から４のいずれかに記載の保護キャップにおいて、前記隆起部は、前記筒状閉塞栓の底部の中心をとおるＹ字状に設けられると共に、前記底部の裏面には、前記Ｙ字の各端部となる前記周壁の三側方に開放するＹ字状の溝部が形成されていることを特徴とする保護キャップ。
【発明の詳細な説明】
【技術分野】
【０００１】
本発明は、鋼管等の管体の開放端部に装着させる保護キャップに関する。
【背景技術】
【０００２】
一般に、鋼管(2)への異物の侵入を防いだり、内部を保護したりするために、その開放端部に脱着可能に装着させる鋼管用保護キャップ(3)として、図１０に示すものが知られている。
このものは、全体に樹脂等の弾性材料からなり、一方に開放する有底円筒状の閉塞栓(31)の開放端部からフランジ部(30)を外方に張り出させた形状を呈している。
筒状閉塞栓(31)の周壁は開放端部に向かって拡径するテーパ状に形成されており、その最大径は、鋼管(2)の開放端部の内径以上に設定されている。よって、フランジ部(30)が鋼管(2)の開放端面(20)に当接するまで、筒状閉塞栓(31)を鋼管(2)の開放端部に嵌入させると、筒状閉塞栓(31)のテーパ状の周壁の上部域が鋼管(2)の開放端部近傍にきつく密嵌される態様となり、鋼管(2)の開放端部は筒状閉塞栓(31)で閉塞される。これにより、鋼管(2)の開放端部から埃やごみ又は水滴等の異物の侵入を確実に防止することができると共に、外的衝撃によって鋼管(2)の内面に傷が付くことも防止することができ、鋼管(2)内に収容物がある場合には、それが外部に漏れ出る不都合も防止することができる。
【先行技術文献】
【特許文献】
【０００３】
【特許文献１】特開２００１−７４１９５号公報
【発明の概要】
【発明が解決しようとする課題】
【０００４】
しかしながら、この従来の保護キャップ(3)では、筒状閉塞栓(31)が鋼管(2)の開放端にきつく密に嵌め込まないといけないため、保護キャップ(3)を鋼管(2)に嵌め難くまた取り外し難いといった問題があった。
特に、長期間装着されたままの保護キャップ(3)を指で取り外すことは困難であり、このような場合、フランジ部(30)と鋼管(2)の開放端面(20)との間にペンチ等の工具等を差し込んで、フランジ部(30)を引っ張って引き抜かなければならない。このとき、鋼管(2)の開放端面(20)に傷を付けてしまう不都合がある。
【０００５】
本発明は、『一方に開放する弾性材料製の有底の筒状閉塞栓からなり、管体の開放端部に前記筒状閉塞栓の周壁が圧入する密嵌状態に装着される保護キャップ』において、前記管体の開放端部への着脱が容易な保護キャップを提供することを課題とする。
【課題を解決するための手段】
【０００６】
上記課題を解決するための請求項１に係る発明の保護キャップは、『前記筒状閉塞栓の底部の一部及び周壁の一部を連続して内方へ隆起させることにより、前記筒状閉塞栓内に突出し且つ前記底部の裏面側及び前記周壁の少なくとも一側方に連続して開放する中空の隆起部が設けられている』ことを特徴とする。
【０００７】
上記技術的手段は次のように作用する。
筒状閉塞栓の底部の一部及び周壁の一部を連続して内方へ隆起させることにより、筒状閉塞栓の内面側には中空の隆起部が突出し、前記筒状閉塞栓の外面側には、前記隆起部の形成域に沿って、筒状閉塞栓の底部の裏面側及び周壁の少なくとも一側方に連続して開放する溝部が形成される態様となる。
筒状閉塞栓の開放端部から指を挿入して前記隆起部を指で摘むと、前記筒状閉塞栓は全体に弾性材料製である上に、前記隆起部は中空状に形成されているから、前記隆起部は前記溝部の幅が狭まる方向に弾性変形することとなり、それに伴い、筒状閉塞栓の底部及び周壁の外径が縮径する。
前記周壁の外径は管体内に密嵌状態に圧入される大きさに設定されているから、隆起部を指で摘んでその周壁の外径を縮径させることにより、筒状閉塞栓をその底部側から管体の開放端部へ挿入させ易くなる。そして、隆起部を指で摘んだ状態のまま筒状閉塞栓を所定位置まで挿入した後、隆起部から指を離せば、前記隆起部は弾性復帰することとなり、筒状閉塞栓は、周壁が管体内に圧接する密嵌状態に装着されることとなる。
また、隆起部を設けない従来のものに比べて、底部の裏面側及び周壁の少なくとも一側方に開放させている溝部の幅だけ、底部及び周壁の拡縮量が大きくなることから、隆起部を指で挟まずに、そのまま筒状閉塞栓を管体内に強制的に挿入させていくことも可能である。
【０００８】
上記装着状態にある保護キャップを管体から取り外すには、装着時と同様に、筒状閉塞栓の開放部から指を差し入れて、隆起部を摘んで、周壁の外径を縮径させれば、筒状閉塞栓の周壁の管体への圧入状態を解除することができ、筒状閉塞栓を管体から容易に取り出すことができる。
【０００９】
上記保護キャップにおいて、『前記隆起部の突出高さを、前記筒状閉塞栓の底部から開放端部までの高さよりも低く設定されている』ものが望ましい。このものでは、筒状閉塞栓の周壁外周面の開放端部近傍には前記溝部が形成されないことから、管体の開放端部に、筒状閉塞栓をその開放端部近傍まで挿入させたときのシール性が確実となる。また、溝部を必要以上に深く形成しないことにより、筒状閉塞栓の不用意な変形も防止することができる。
【００１０】
さらに、上記保護キャップにおいて、『前記筒状閉塞栓の開放端部に、外方へ張り出す環状のフランジ部が設けられている』ものが望ましい。このものでは、フランジ部が前記管体の開放端面に当接した時点で筒状閉塞栓の装着完了とすることができるので、常に正しい装着状態で筒状閉塞栓を管体に挿入しておくことができる。また、フランジ部を管体の開放端面に当接させておくことにより、管体内への異物侵入を一層確実に防止することができる。さらに、筒状閉塞栓を管体から取り外す際に、フランジ部を工具等で挟んで、筒状閉塞栓が縮径可能な方向に移動させながら取り外すこともできる。
【００１１】
さらに、上記保護キャップにおいて、『前記筒状閉塞栓は、開放端部に向かって拡径するテーパ状の周壁を有する』ものが望ましい。
【００１２】
さらに、上記保護キャップにおいて、『前記隆起部は、前記筒状閉塞栓の底部の一つの直径に沿って設けられると共に、前記底部の裏面には、前記直径の両端となる前記周壁の二側方に開放する直線状の溝部が形成されている』ものや、『前記隆起部は、前記筒状閉塞栓の底部の中心をとおる十文字状に設けられると共に、前記底部の裏面には、前記十文字の各端部となる前記周壁の四側方に開放する十文字状の溝部が形成されている』もの、さらには、『前記隆起部は、前記筒状閉塞栓の底部の中心をとおるＹ字状に設けられると共に、前記底部の裏面には、前記Ｙ字の各端部となる前記周壁の三側方に開放するＹ字状の溝部が形成されている』ものが望ましい。
【発明の効果】
【００１３】
請求項１に係る発明によれば、隆起部を指で摘むことにより、筒状閉塞栓の底部及び周壁の外径を縮径させることができるから、筒状閉塞栓の、管体の開放端部への脱着が容易となる。管体の開放端部に筒状閉塞栓を挿入した後に、前記隆起部から指を離せば前記外径は初期状態に弾性復帰させることができるから、挿入後の筒状閉塞栓は管体内に密嵌状態に圧入されることとなる。
また、隆起部を摘まずに筒状閉塞栓を管体の開放端部に挿入していけば、筒状閉塞栓の周壁は管体の内周面で押されて縮径することから、隆起部を摘まなくても、筒状閉塞栓を管体の開放端部へ容易に取り付けることができる。
また、樹脂の真空成型により製造可能であるので容易に且つ安価に製造することができる。
【００１４】
隆起部の高さを筒状閉塞栓の高さよりも低く設定しておくことにより、管体に装着させたときのシール性が向上し、また、筒状閉塞栓の不用意な損傷も防止できる。
さらに、筒状閉塞栓の開放端部にフランジ部を設けることによって、管体への筒状閉塞栓挿入時の位置決めが容易となる上に、フランジ部を管体の開放端面に圧着させておくことにより、管体内への異物の侵入を確実に防止できると共に、フランジ部を工具等で挟んで筒状閉塞栓を管体から引き抜くこともできるから、一層使い勝手の良いものとなる。
また、筒状閉塞栓の周面をテーパ状にしておけば管体への圧入が一層容易となる。
また、隆起部を周壁の２箇所以上に開放するように形成したものでは、筒状閉塞栓を弾性変形させる力が掛け易くなるため、一層容易に筒状閉塞栓を縮径させて管体に脱着させることができる。
【図面の簡単な説明】
【００１５】
【図１】本発明の第１番目の実施の形態の保護キャップを示す斜視図である。
【図２】本発明の第１番目の実施の形態の保護キャップの平面図である。
【図３】本発明の第１番目の実施の形態の保護キャップの底面図である。
【図４】本発明の第１番目の実施の形態の保護キャップを取り付ける様子を示す説明図である。
【図５】本発明の第２番目の実施の形態の保護キャップの平面図である。
【図６】本発明の第２番目の実施の形態の保護キャップの底面図である。
【図７】本発明の第３番目の実施の形態の保護キャップの平面図である。
【図８】本発明の第３番目の実施の形態の保護キャップの底面図である。
【図９】本発明の第４番目の実施の形態の保護キャップを示す斜視図である。
【図１０】従来の保護キャップの装着状態の説明図である。
【発明を実施するための形態】
【００１６】
以下に、本発明を実施するための最良の形態について添付図面を参照しながら説明する。
本発明は、管体としてメータガス栓のガス管が接続される上流側及び下流側の接続管部の各開放端部に装着させる樹脂製の保護キャップに関する。
図１〜図４に示す第１番目の実施の形態の保護キャップ(1)は、図１に示すように、浅い円筒状の有底の筒状閉塞栓(11)の開放端部(11a)からフランジ部(10)が外方へ半径方向に張り出した形状であり、筒状閉塞栓(11)を構成している周壁(12)は、開放端部(11a)に向かってやや拡径するテーパ状となっている。周壁(12)の最大径である開放端部の外径は、メータガス栓の上流側及び下流側の接続管部(4)の、雌ネジ部の内径よりも僅かに大きく設定されており、図４に示すように、筒状閉塞栓(11)は接続管部(4)内に密に内嵌可能となっている。
【００１７】
筒状閉塞栓(11)の底部(13)には、図１及び図２に示すように、一つの直径に沿って隆起させた隆起部(14)が筒状閉塞栓(11)の内方に突出するように形成されている。
隆起部(14)は、底部(13)の裏面(13a)側と、隆起部(14)の両端が対応する周壁(12)の各位置に連続して開放するように形成されており、これにより、筒状閉塞栓(11)の底部(13)の裏面(13a)には、図３に示すように、前記直径線に沿って形成され且つ周壁(12)の二箇所に開放する直線状の溝部(15)が形成される態様となっている。
また、隆起部(14)は、筒状閉塞栓(11)内に突出する頂部の幅よりも底部(13)との境界部分である両下辺部間の方が広い断面略逆Ｕ字状に形成されていると共に、隆起部(14)の高さは、周壁(12)の高さの約半分に設定されている。
【００１８】
この保護キャップ(1)は、全体的に、ポリプロピレンの真空成型により一体成型されており、各部は弾性変形可能となっている。
よって、保護キャップ(1)の筒状閉塞栓(11)の開放端部(11a)側から筒状閉塞栓(11)内に指を差し入れて、隆起部(14)の両側面を指で挟むと、図４の二点鎖線に示すように、隆起部(14)は、溝部(15)の間隔が狭められる方向に弾性変形する。それに応じて、底部(13)の及び周壁(12)の外径は縮径する。
【００１９】
隆起部(14)を摘んで、底部(13)及び周壁(12)の外径を縮径させた状態にて、筒状閉塞栓(1)の周壁(12)の外径は、接続管部(4)の内径以下になるように、溝部(15)の幅及び弾性変形量を設定しておくことにより、隆起部(14)を上記したように弾性変形させた状態を維持しながら、メータガス栓の上流側又は下流側の接続管部(4)内に挿入させれば、筒状閉塞栓(11)は、接続管部(4)の雌ネジ部内に容易に挿入することができる。
そして、フランジ部(10)が接続管部(4)の開放端面(40)に当接した時点で指を隆起部(14)から離せば、筒状閉塞栓(11)は弾性復帰し、周壁(12)が接続管部(4)内に密嵌状態に圧接する態様となる。
このとき、周壁(12)の開放端近傍には、溝部(15)は開放していないから、接続管部(4)のシール性を確実に維持することができ、フランジ部(10)によっても、接続管部(4)への異物の侵入を確実に防止することができる。
【００２０】
上記した要領で接続管部(4)に装着させた保護キャップ(1)を取り外すには、装着時と同様に、隆起部(14)を両側から指で挟んで周壁(12)の外径を縮径させれば、筒状閉塞栓(11)の周壁(12)が接続管部(4)内に長期間、密嵌状態に圧接させた装着態様であっても容易に取り外すことができる。
また、このとき、工具等を利用してフランジ部(10)を開放端面(40)から引き剥がしておくと、一層容易に保護キャップ(1)を取り外すことができる。
【００２１】
図５及び図６に示すものは、第２番目の実施の形態の保護キャップ(1)であり、上記第１番目の実施の形態と同様な形状の保護キャップ(1)の筒状閉塞栓(11)の底部(13)に、十文字状の隆起部(14)を設ける構成としたものである。なお、図５は平面図であり、図６は底面図である。
【００２２】
この実施の形態では、図６に示すように、底部(13)の裏面(13a)には、十文字状の溝部(15)が形成される態様となり、その各端部が対応する周壁(12)の四箇所に開放している。
【００２３】
このものでは、図５に示すように、筒状閉塞栓(11)内における、隆起部(14)で４つに分割された空間(14a)〜(14d)のうち３つ以上の空間内に指を挿入して隆起部(14)の中心部分を掴むように挟み込めば、底部(13)の中心から放射状に設けられている４本の溝部(15)のうち３本以上の幅を狭めることができる。これにより、周壁(12)に開放している３箇所以上の溝部の幅が狭められることとなる。
このように、隆起部(14)を十文字状に形成したものでは、筒状閉塞栓(11)の縮径量をより大きく設けることができるので、接続管部(4)への保護キャップ(1)の脱着が一層容易となる。
【００２４】
隆起部(14)の形状としては、図７、図８に示すように、底部(13)を三等分するＹ字状に設けることも可能であり、さらには、図９に示すように、周壁(12)の一箇所に開放するように、底部(13)の一部分に設ける構成としても良い。
なお、底部(13)に設ける隆起部(14)の突出形状は周壁(12)の少なくとも一側方に開放するように構成されて何ら限定されるものではない。
【符号の説明】
【００２５】
(1) ・・・・・・・保護キャップ
(10)・・・・・・・フランジ部
(11)・・・・・・・筒状閉塞栓
(12)・・・・・・・周壁
(13)・・・・・・・底部
(14)・・・・・・・隆起部
【図１】
2014152924.tif 000003
【図２】
2014152924.tif 000004
【図３】
2014152924.tif 000005
【図４】
2014152924.tif 000006
【図５】
2014152924.tif 000007
【図６】
2014152924.tif 000008
【図７】
2014152924.tif 000009
【図８】
2014152924.tif 000010
【図９】
2014152924.tif 000011
【図１０】
2014152924.tif 000012